(57)【要約】  ＰＯＳにおける取引に関連する情報を入力することによって取引をコーディネートするシステム及び方法が開示され、入力される情報はその取引の受領者の身元とは独立である。その取引の情報の入力とは別に、その受領者に一意に付随する装置からそのＰＯＳから離れたロケーションに対して通信コネクションが設定される。そのＰＯＳロケーションは、その設定された通信コネクションを通じて特定され、その離れたロケーションは、そのＰＯＳにおける取引を許可するために、その特定されたＰＯＳロケーションを入力された情報とコーディネートする。一例においては、ロイヤリティメンバーシップなどのような補助的資格が特定され、任意の利用可能なディスカウントがそのＰＯＳにおいて入力された情報に適用される。一例においては、リモートロケーションは第３者からの取引額の支払を許可する。
2006504208.tif 000002
【特許請求の範囲】
【請求項１】
取引をコーディネートするシステムであって、
一時的に設定された通信コネクションを通じて、多数の商店の一つに特有の情報を複数のユーザのうち任意のユーザから受信するサーバを備え、前記情報は前記一つの商店の一意のＰＯＳロケーションに特有のデータを含み、
前記ユーザの特定の一人から前記受信された情報を、前記一意の商店ロケーションに関する前記サーバが利用できる情報とコーディネートする手段と、
前記コーディネートされた情報の少なくとも一部を前記一時的に設定されたコネクションを通じて前記一人のユーザに対して通信する手段を備える
ことを特徴とするシステム。
【請求項２】
請求項１に記載のシステムにおいて、
前記一人のユーザへの情報は、前記特定のロケーションから得られた前記情報に関するコスト情報である
ことを特徴とするシステム。
【請求項３】
請求項２に記載のシステムにおいて、さらに、
前記サーバにおいて前記一人のユーザからさらなる情報を受信する手段を備え、前記さらなる情報は許可情報を含む
ことを特徴とするシステム。
【請求項４】
請求項３に記載のシステムにおいて、さらに、
前記サーバにおいて前記一人のユーザから前記一つの商店に対する支払をコーディネートする手段を備え、前記支払は前記ユーザに対して通信された前記情報と前記ユーザからの前記許可情報に基づく
ことを特徴とするシステム。
【請求項５】
取引をコーディネートする方法であって、
一時的に設定された通信コネクションを通じて、多数の商店の一つに特有の情報を複数のユーザのうち任意のユーザから受信し、前記情報は前記一つの商店の一意のＰＯＳロケーションに特有のデータを含み、前記特有のデータは、前記商店から得られた商品に属するデータであり、
前記ユーザの特定の一人から前記受信された情報を、前記一意の商店ロケーションに属する利用可能な情報とコーディネートし、
前記コーディネートされた情報の少なくとも一部を前記一時的に設定されたコネクションを通じて前記一人のユーザに対して通信する
ことを特徴とする方法。
【請求項６】
請求項５に記載の方法において、
前記一人のユーザに対する前記情報は、前記特定のロケーションから取得される前記情報に関するコスト情報である
ことを特徴とするシステム。
【請求項７】
請求項６に記載の方法において、
前記一人のユーザからさらなる情報を受信する手段を備え、前記さらなる情報は許可情報を含む
ことを特徴とする方法。
【請求項８】
請求項７に記載の方法において、
前記一人のユーザから前記一つの商店に対する支払をコーディネートし、前記支払は前記ユーザに通信された前記情報と前記ユーザからの前記許可情報に基づく
ことを特徴とする方法。
【請求項９】
商店から消費者への購入をコーディネートする方法であって、
ＰＯＳ端末における前記消費者の管理の下、前記ＰＯＳ端末において前記商店から購入情報が入力された時に、前記購入情報に関する予め設定された支払いオプションをコーディネートするために前記商店から独立したサーバと一時的な通信コネクションを設定し、
前記サーバの管理の下、そして、前記ＰＯＳ端末のロケーションＩＤと前記消費者により入力された他の情報を受信した時に、前記消費者が前記購入に対して正しく支払準備をしたことを前記商店に確信させる充足情報を前記商店に対して提供する
ことを特徴とする方法。  
【請求項１０】
請求項９に記載の方法において、
前記支払の充足情報は、前記消費者が利用可能な任意のアフィニティプログラムの下利用可能な任意の支払割引を含む
ことを特徴とする方法。
【請求項１１】
取引をコーディネートする方法であって、
前記取引に付随する販売地点（ＰＯＳ）において、前記取引に関連する情報を入力し、前記情報は、前記取引の受領者の身元と独立であり、
前記受領者に一意に付随する装置から前記販売地点（ＰＯＳ）から離れたロケーションへの一時的な通信コネクションを設定し、
前記装置および設定された通信コネクションを通じて、前記販売地点（ＰＯＳ）ロケーションを特定し、
前記特定された販売地点（ＰＯＳ）ロケーションを前記入力された情報とコーディネートする
ことを特徴とする方法。
【請求項１２】
請求項１１に記載の方法において、
前記コーディネートは、前記受領者の身元を認証する
ことを特徴とする方法。
【請求項１３】
請求項１２に記載の方法において、
前記身元は、前記受領者の身元、前記受領者が特定のグループのメンバーであることの認証、前記受領者が特定のサービスの適格があることの認証、前記受領者が特定のイベントに適格があることの認証、前記受領者が有効なライセンスを持っていることの認証、または支払情報の認証というリストから選択された少なくとも一つである
ことを特徴とする方法。
【請求項１４】
請求項１１に記載の方法において、さらに、
前記離れたロケーションの管理の下、前記コーディネートされた情報の受領者による許可を認証する
ことを特徴とする方法。
【請求項１５】
請求項１４に記載の方法において、前記認証は、前記設定された通信コネクションを通じた前記受領者からの特定のデータを受領することを含む
ことを特徴とする方法。
【請求項１６】
請求項１１に記載の方法において、
前記ＰＯＳは企業に付随し、
前記離れたロケーションの少なくとも部分的な管理の下、前記ＰＯＳに付随する前記企業に対する第３者による支払、前記入力された情報によって特定される前記支払の額を許可する
ことを特徴とする方法。
【請求項１７】
請求項１６に記載の方法において、さらに、前記受領者および前記ＰＯＳに関連する他のプログラムを用いて、任意の前記許可を特定する
ことを特徴とする方法。
を特徴とする方法。
【請求項１８】
請求項１７に記載の方法において、前記他のプログラムは、ロイヤリティ、ディスカウント、クーポン、ポイント、ライセンス、組織メンバーシップというリストから選択される
ことを特徴とする方法。
【請求項１９】
請求項１７に記載の方法において、さらに、
前記支払額から、前記受領者に前記特定された他のプログラムの下で与えられる任意の額を控除する
ことを特徴とする方法。
【請求項２０】
請求項１１に記載の方法において、さらに、
前記一時的に設定された通信パスから区別された通信パスを通じて前記離れたロケーションに前記入力された情報を通信する
ことを特徴とする方法。
【請求項２１】
請求項１１に記載の方法において、さらに、
任意の前記コーディネーションを前記受領者と前記ＰＯＳに関連する他の任意のプログラムと関連付ける
ことを特徴とする方法。
【請求項２２】
ユーザの識別を容易にするシステムであって、
情報を入力そして／または受信する販売地点（ＰＯＳ）端末を備え、前記情報は前記ユーザの任意のパーソナル情報と区別され、
前記販売地点（ＰＯＳ）端末から離れたデータベースと、
前記ユーザと前記データベースとの間の通信コネクションを設定する手段とを備え、前記通信コネクションは前記販売地点（ＰＯＳ）情報が入力される通信コネクションと区別され、
前記販売地点（ＰＯＳ）端末の身元を前記設定された通信コネクションを通じて前記データベースに通信し、前記データベースをして前記ユーザを前記販売地点（ＰＯＳ）において入力された情報とコーディネートさせる手段を備える
ことを特徴とするシステム。
【請求項２３】
請求項２２に記載のシステムにおいて、
前記最後に記述した手段は、さらに、前記ユーザを前記ユーザと前記ＰＯＳ端末の双方に関連する少なくとも一つのアフィニティグループとコーディネートする
ことを特徴とするシステム。
【請求項２４】
請求項２２に記載のシステムにおいて、
前記システムは、さらに、前記ユーザの身元を前記ＰＯＳに通信する手段を備える
ことを特徴とするシステム。
【請求項２５】
請求項２２に記載のシステムにおいて、
前記システムは、さらに、
前記ＰＯＳにおいて入力された情報に従って、前記ＰＯＳに対する支払のために、前記ユーザの身元を第三者に通信する手段を備える
ことを特徴とするシステム。
【請求項２６】
請求項２５に記載のシステムにおいて、
前記身元を通信する手段は、前記通信を設定する手段を備える
ことを特徴とするシステム。
【請求項２７】
請求項２５に記載のシステムにおいて、
前記身元を通信する手段は、前記通信コネクションを設定する手段から区別される通信パスを備える
ことを特徴とするシステム。
【請求項２８】
請求項２５に記載のシステムにおいて、
前記ＰＯＳにおいて入力された情報は、前記ＰＯＳから離れたロケ−ションに通信される
ことを特徴とするシステム。
【請求項２９】
請求項２８に記載のシステムにおいて、
前記離れたロケーションにおいて入力された情報と前記データベースとが互いに通信する
ことを特徴とするシステム。
【請求項３０】
請求項２５に記載のシステムにおいて、
前記ユーザを前記ユーザと前記ＰＯＳ端末双方に関連する少なくとも一つのグループにコーディネートする手段を備える
ことを特徴とするシステム。
【請求項３１】
請求項３０に記載のシステムにおいて、
前記ユーザと前記ＰＯＳ端末双方に関連する少なくとも一つのグループは、ロイヤリティプログラムであり、さらに、
前記ロイヤリティプログラムに基づいて、前記支払から前記ユーザに対してディスカウントされた任意の額を控除する手段を備える
ことを特徴とするシステム。
【請求項３２】
請求項３０に記載のシステムにおいて、
前記ユーザと前記ＰＯＳ端末双方に関連する少なくとも一つのグループは、アフィニティプログラムであり、さらに、
前記入力された情報を前記ＰＯＳから前記ロイヤリティプログラムに対して通信する手段を備える
ことを特徴とするシステム。
【請求項３３】
請求項２２に記載のシステムにおいて、
前記通信コネクションを設定する手段は、電話を含む
ことを特徴とするシステム。
【請求項３４】
請求項２２に記載のシステムにおいて、
前記電話は無線方式である
ことを特徴とするシステム。
【請求項３５】
請求項２２に記載のシステムにおいて、前記最後に記述した手段は、
前記設定されたコネクションを通じて、前記データベースに、ユーザに特有のデータを通信する
ことを特徴とするシステム。
【請求項３６】
請求項２５に記載のシステムにおいて、前記ユーザに特有のデータは、電話を通じて送信される
ことを特徴とするシステム。
【請求項３７】
ユーザによってなされる購入の支払を許可する方法であって、
前記販売地点（ＰＯＳ）における購入に関する情報を入力し、
一時的に設定された通信コネクションを通じて、前記ユーザに一意の情報を通信し、前記情報は、前記販売地点（ＰＯＳ）の識別子を含み、
前記一時的に設定されたコネクションを通じて得られた情報を前記ユーザに関する蓄積された情報及び前記入力された購入情報と比較する
ことを特徴とする方法。
【請求項３８】
請求項３７に記載の方法において、さらに、
少なくとも部分的に、前記比較に基づいて前記購入に対する支払を許可する
ことを特徴とする方法。
【請求項３９】
請求項３８に記載の方法において、
前記支払は、少なくとも一人の第三者によるものである
ことを特徴とする方法。
【請求項４０】
請求項３８に記載の方法において、さらに、
前記比較によって、少なくとも部分的に、前記購入情報に基づいて、前記ユーザに与えられる特別の扱いを決定する
ことを特徴とする方法。
【請求項４１】
請求項４０に記載の方法において、
前記許可ステップは、任意の前記決定された特別の扱いにより、前記許可された支払から任意の額を控除する
ことを特徴とする方法。
【請求項４２】
ユーザを含む取引を制御するシステムであって、
特定のユーザについての特定の取引に関する情報をコントロールセンタに送信する端末と、
前記特定のユーザから前記コントロールセンタに対する一時的な通信コネクションを設定する装置と、
前記コントロールセンタにおいて、前記端末の身元に関連する前記ユーザから受信した情報を前記端末から受信した実際の情報と比較するコントロールシステムとを備える
ことを特徴とするシステム。
【請求項４３】
請求項４２に記載のシステムにおいて、
前記コントロールシステムは、さらに、
前記端末に関して前記ユーザが有する任意の所属を決定する手段を備える
ことを特徴とする方法。
【請求項４４】
請求項４３に記載のシステムにおいて、
前記コントロールシステムは、さらに、
前記決定された所属に従って前記取引を制御する手段を備え、
前記制御される取引は、第三者の支払、ロイヤリティディスカウント、ユーザの身元、施設への入場許可、ライセンスの認証、そしてグループ所属の認証というリストから選択された少なくとも一つである
ことを特徴とするシステム。
【請求項４５】
請求項４４に記載のシステムにおいて、
前記の装置は、電話、ＰＤＡ、コンピュータ、ページャーである
ことを特徴とするシステム。
【請求項４６】
請求項４２に記載のシステムにおいて、
前記の装置は、電話、ＰＤＡ、コンピュータ、ページャーというリストから選択された一つである
ことを特徴とするシステム。
【請求項４７】
取引をコーディネートするシステムであって、
前記取引に関連するＰＯＳ情報を前記システムに配信する第１の装置と、
前記第２の装置から前記システムに対する一時的な通信コネクションを設定する第２の装置とを備える
ことを特徴とするシステム。
【請求項４８】
請求項４７に記載のシステムにおいて、
前記取引のさらなる処理に必要な前記情報は、支払確認を含む
ことを特徴とするシステム。
【請求項４９】
請求項４８に記載のシステムにおいて、
前記支払確認は、前記第２の装置に一意のディスカウントを行う
ことを特徴とするシステム。
【請求項５０】
請求項４７に記載のシステムにおいて、さらに、
前記第１そして第２の装置からの情報を他のソースからの情報とコーディネートする
ことを特徴とするシステム。
【請求項５１】
請求項４７に記載のシステムにおいて、さらに、
前記コーディネートする手段は、前記第１の装置からの前記情報と前記第２の装置からの前記情報を、前記第２の装置を含む他の取引におけるその後の使用のために、取引単位で少なくとも一つのデータベース中に蓄積する手段を備える
ことを特徴とするシステム。
【請求項５２】
寄贈者から受領者へギフトクレジットを提供する方法であって、
前記寄贈者の管理の下、前記受領者の電話番号を提供し、
前記寄贈者の管理の下、前記受領者にもたらされるクレジットの額を提供し、
前記提供された電話番号を通じて、前記受領者に対して、前記受領者が前記寄贈者によって提供された額だけクレジットを有することを通信する
ことを特徴とする方法。
【請求項５３】
請求項５２に記載の方法において、
前記受領者をして、前記寄贈者により提供された前記クレジットを用いた購入をさせることを許可し、
前記許可は、ＰＯＳにおいて、前記購入情報が入力された時に、前記受領者をして、前記電話を使わせて前記クレジットを前記購入情報とコーディネートするための通信コネクションを設定する
ことを特徴とする方法。
【請求項５４】
請求項５２に記載の方法において、
前記許可は、さらに、
前記受領者の電話から、前記ＰＯＳのロケーションＩＤを提供する
ことを特徴とする方法。
【請求項５５】
顧客を無線取引支払プログラムに登録する方法であって、
ＰＯＳにおいて、顧客の無線装置を特定する情報を入力し、
さらに、前記ＰＯＳにおいて、前記特定された無線装置に関連する前記顧客によって使用が望まれるクレジット／デビット／価値貯蔵カード／キャッシュ／ＡＣＨに関する情報を入力し、
前記顧客が、ＰＯＳにおいて前記特定された無線装置から設定された一時的な通信コネクションの管理の下、１または複数のＰＯＳロケーションにおいて購入できるようにし、前記通信は、前記顧客をして、前記ＰＯＳのロケーションＩＤを送信することを可能にすると同時に、前記商店に、前記購入について支払を受けたことを確信させる他の許可情報を送信することを可能とする
ことを特徴とする方法。
【請求項５６】
請求項５５に記載の方法において、さらに、
前記顧客をして直ちに前記商店のプログラムに登録されることを許可する
ことを特徴とする方法。
【発明の詳細な説明】
【技術分野】
【０００１】
本発明は、その開示されているところがここに参照として組み込まれている、出願番号６０／４２０，６４３、発明の名称「ロイヤリティ／報酬プログラムを統合する支払システム」の米国仮出願、および、２００３年８月２２日に出願された出願番号１０／６４６，５７９、発明の名称「支払認証システムを用いたロイヤリティ／報酬プログラム統合システム」の非仮出願による利益を主張している。本発明は、販売地点（ＰＯＳ）特定システムに関し、特に、支払報酬、ロイヤリティ、マーケティング、プロモーションそして顧客サービスプログラムのコーディネートを行いつつ、商品またはサービスの支払認証を可能にするシステムおよび方法に関する。
【背景技術】
【０００２】
社会がよりモバイルになるに従って、人々は非常に重要なアイテムをいくつも携帯することを便利に感じ、あるいは、通常、不可欠であると認識するに至った。これらのアイテムの中には、商品やサービスの支払フォームがあり、他のアイテムとして、身元フォームがある。
【０００３】
政府発行の通貨が普及する以前、人々は、金、銀、ダイヤモンドなどの価値のある商品を持ち運んでいた。ある社会では、ビーズさえ好んで用いられた。通貨が考案され、通常表面に支配者の顔が記されたコインは、袋あるいは財布に収納された。全ての取引において、商品あるいはサービスの売り手は、支払の正当性を確認しなければならなかった。通常、これは、重量や寸法を測ったり、多くは、買い手の身元（知人であるあるいは、保証があること）に重きが置かれることで、支払の正当性の認証（ｖｅｒｉｆｉｃａｔｉｏｎ  ｏｆ  ｔｈｅ  ｖａｌｉｄｉｔｙ  ｏｆ  ｔｈｅ  ｐａｙｍｅｎｔ）が行われてきた。
【０００４】
信頼性のある政府が発行する紙幣は、従前からの商取引の多くの問題を解決した。このような現金を用いることによって、通貨の正当性さえ確かであれば、支払者の身元は問題でなくなった。クレジットカード、デビットカード、価値貯蔵カード、そして他の現金以外の支払形式が可能になり、この数十年の間に、このことは再び変化している。支払方法の変化と同時に、人物識別が、商品及びサービスの支払と、他の目的のための識別の目的という双方のために、その必要性を増してきた。これらの他の目的には、ディスカウントを受ける資格、博物館への入場許可、医療受給資格、保険の証明、免許証の有効性の証明及びこれらに類するものといった、グループメンバーシップの認証（ｖｅｒｉｆｉｃａｔｉｏｎ）が含まれる。
【０００５】
このようにして、財布、あるいは今日ではより普通には札入れが、最初は、通常、重い物である価値の高い物を収納して、交換するために用いられたが、今日では、様々な形式、通常は、磁気識別ストリップを内蔵したプラスチックカードの形態で、個人的書類を持ち運ぶために使われている。札入れは、今日、様々な情報、及び識別カード（ｉｄｅｎｔｉｆｉｃａｔｉｏｎ  ｃａｒｄ）、支払カード、ロイヤリティカード、アフィニティカード、運転免許証、クーポンといった、サービス提供者の情報カードを収納している。キーチェーンも、これらの情報を内蔵したタグの持ち運びに利用されている。
【０００６】
これらの各々のカードは、特別のサービスを可能にする。例えば、クレジットカードは、ユーザに買い物のための信用を提供する機能を有するが、借金目的あるいはグループ識別、あるいは、その保持者が有効な免許あるいは有効な保険を有していることを示す機能は有していない。さらに、これらのカードに内蔵される情報は、発行者あるいは受領者の意思によって変えることはできず、恒久的なものである。札入れは、識別カードが増加するに従って重くなっていく。
【０００７】
問題は複合的であり、携帯電話、ＰＤＡ、ラップトップその他の電子装置は、今日、個人が携帯するようになり、より荷物を重くしている。札入れの最も大きな欠点は、その中のカードが盗まれるあるいは損傷する可能性があることである。こうして、カードのセュリティが大きな問題となる。一旦盗まれると、カードに刷り込まれた情報は虚偽的方法で使われ、あるいは、磁気ストリップ内の情報はカードリーダーにより容易にリードあるいは複製されてしまう。紛失あるいは盗難カードを取り戻すには、時間と費用（ストレスについては言うまでもない）がかかる。時には、この情報は、虚偽的方法で、カードの所有者が、カードの保有者、商店、そして／またはカード発行者の損失とに気づきもしないうちにコピーされることもある。紛失した盗難カードが交換されるまでの間、顧客（そして売主も）カードを利用する利益を失う。カードの交換費用は、処理、郵送のコストも含み、それらは、ささいなものではない。
【０００８】
多くの店は、ショップ＆ショップカード、ＣＶＳ薬局カード、あるいはＡＡＡカードなど、支払カードと運営上異なるプログラムである、独自のアフィニティ、ロイヤリティあるいは報酬プログラムを持っている。これにより、余分のカードを持ち運ばなければならず、一つの販売地点において、一つはディスカウント／還元／識別カード、もう一つは支払のためのカードという２つの異なるカード、そして、施設に入場するための第３のカードが必要になるという、もう一つの不便をもたらす。他の店は、購入、ギフト、プロモーション、そして返品のための価値貯蔵カードを発行し始めている。このような価値貯蔵カードの利用形態は、商店が、一つのあるいは複数の取引を顧客のカードに記録し、そして、ある特定の数の取引（あるいは取引額）が入力されると、顧客はギフトを得、あるいはディスカウントを受け、あるいはいくつかの他の価値アイテムを得るというものである。いろいろな局面で、これらのカードは、顧客のロイヤリティを高め、新しい顧客を獲得するために用いられる。
【０００９】
実際にカードを利用するには、これを取り扱い処理するインフラが必要である。例えば、ほとんどの店は、デビット、クレジット、あるいはロイヤリティカード及びプロモーショナルクーポンのようなカードを読み取るハードウェア機器を持っている。これらの機器は、通常、カードリーダー（磁気ストリップリーダー、スマートカードリーダー、バーコードリーダーなど）として知られ、各々のリーダーは、それを扱うソフトを必要とする。これらのシステムの一つの欠点は、往々にして、適正なハードウェアを必要とすることである。結局、このようなシステムでは、リーダーを保持し、ソフトトウェア、内部支援、そして、ランニングコストが必要となる。時には、アップグレードのためのコストも必要となる。ＰＯＳは、カードリーダー（及びいくつもの提供者からの支援ソフトウェア／ハードウェア）を必要とする。これらの欠点の一つは、既に確立されたネットワーク及び関連するカードリーダーを使わない限り、容易には、新しくカード発行する会社が市場に参入することはできないことである。
【００１０】
最近の携帯電話及びモバイル装置は、商取引、通信、コンテンツおよびコラボレーションのツールとして登場している。これらの機器は、携帯電話、ページャー、ラジオ、ＰＤＡ、電子手帳及び時計を含む。これらの電子装置の使用が増加するにつれ、情報と機能性のための様々な装置を統合する必要が生じている。スマートカードは、１９７０年代に最初に開発され、符号化されたデータの安全を確保し、運搬するための、プログラマブルデバイスとして導入され、そのようなスマートカードは、最低限の成功を修めてきた。
【発明の開示】
【００１１】
（発明の要旨）
本発明は、ＰＯＳにおける取引に関連する情報を入力することで、取引をコーディネートするシステム及び方法に向けられ、入力された情報は、取引の受領者の身元からは独立したものである。取引情報の入力とは別に、取引の受領者に一意に付随する装置からそのＰＯＳから離れたロケーションへの通信コネクションが設定される。ＰＯＳロケーションは、設定された通信コネクションを通じて識別され、その離れたロケーションは、識別されたＰＯＳロケーションと入力された情報を、ＰＯＳにおける取引を認証するためにコーディネートする。一つの実施例では、ロイヤリティメンバーシップ及びマーケティングプロモーションのような補助的資格が識別され、利用可能なディスカウント、プレミアム、その他のことが、そのＰＯＳにおいて入力された情報に適用される。また一つの実施例では、その離れたロケーションは、第三者からの取引額の支払を認証する。
【００１２】
一つの実施例においては、顧客情報及び商店情報を蓄積しているウェブサーバあるいはウェブポータルに、ＷＩＦＩ、ＧＰＲＳあるいはこれに類するネットワークコネクションを通じて、ダイヤルし、あるいは接続する電話システムあるいはモバイル装置からなる支払システムあるいは支払プラットフォームを用いるシステム及び方法が示される。ウェブポータルは、電子ファンド移送取引を解決する既存のクリアリングハウス及びロイヤリティ／報酬、そしてマーケティングプロモーション管理システムの双方と統合される。運用においては、そのシステムは、その取引のロイヤリティ／報酬／プロモーションの処理とともに、販売地点（ＰＯＳ）における支払取引を処理する。ある運用では、ユーザは、特別の、あるいはサーバから管理されている別のプロモーションの利益を受ける。他の運用では、ユーザに、祝儀、商品／サービス選択、支払カード、ロイヤリティプログラムなどの、取引に影響を与える情報をモバイル装置に入力することを求めるものもある。
【００１３】
また、他の実施例では、顧客情報及び商店情報を蓄積したウェブポータルに、様々なネットワークを通じてダイヤルまたは接続する電話システムあるいはモバイル装置からなる支払システムあるいは支払プラットフォームを用いるシステム及び方法が示される。ウェブサーバは、１または複数の電子ファンド移送取引を解決する既存のクリアリングハウスと統合され、また、ロイヤリティ／報酬そしてマーケティングプロモーション管理システムと接続され、また、他の顧客情報システム（例えば運転免許、受診記録、保険データ、メンバーシップ組織）と接続する。運用においては、そのシステムは、モバイル装置におけるオペレータの入力に基づいて、そのＰＯＳに対して支払情報を送信する。この場合、そのＰＯＳは、店あるいは仮想的ロケーションである。この適用の例として、レストランのオーダー及び支払、駐車場の支払、遊び場のチケットのオーダー及び支払、知られたＰＯＳに対する身元情報の送信などが含まれる。
【００１４】
システムの別の実施例においては、支払情報の登録は、モバイル装置からの情報を読み取り、顧客をして要求される追加的情報を入力させ得る、指定された電話番号にモバイル装置がダイヤルすることを含む。他の例では、ユーザをして、商店のＰＯＳに情報を入力させることができ、自動的にその情報を顧客とリンクすることができる。
【００１５】
以上は、以下の本発明の詳細な記述がより理解されるように、本発明の特徴と技術的利点の大まかな概略を述べたものである。発明の更なる特徴と利点は、その発明のクレームの主題を形成するものとして以下に記述される。開示される思想と特定の実施例は、修正、そして、本発明と同一の目的を達成するための他の構成を設計するための基礎として、当業者にとってすぐに役立つ。当業者によって、そのような同等の構成は添付されたクレームを逸脱するものではないことは理解されるであろう。本発明の特徴とされる、その構成および操作方法双方の明白な特徴は、さらなる目的と利点とともに、添付された図面が考慮された時に以下の記述から容易に理解されるであろう。しかし、その各図は、表示と説明のためのみのものであり、本発明の限界を定めるものではないことが明確に理解されるべきである。
【発明を実施するための最良の形態】
【００１６】
図１に示される支払システム１０は、ウェブサイトを通じて一つの場所におけるユーザの全てのカードの統合、利便性の向上及び管理をもたらし、電話を用いて、実際のまたは物理的ロケーションにおける、電子的／物理的カード、クーポン及び他のプロモーショナル情報の利用を可能にする。電話１１のような顧客の電話は、有線あるいは無線であり、ダイヤルアップを通じてあるいはＧＰＲＳそして／またはＷＩＦＩネットワークを介して動作する。電話が示されているが、その装置はＰＤＡ、コンピュータ、ページャーあるいは他のいかなる通信装置であってもよい。人は、任意のＰＯＳにおけるウェブポータルを用いて、または、指定された電話番号にコールすることにより、当座または貯蓄アカウント、デビット、クレジットまたはロイヤリティカードといった、自分の新たなまたは既存の支払及びロイヤリティカード／アカウントを登録できる。一旦ユーザがポータルに接続すると、ユーザは、自分がどのカードを希望するか、どのロイヤリティプログラムに自分が適格か、そしてあるいはどの価値貯蔵カードに自分のモバイル支払アカウントを接続するかを決定する。望ましくは、様々なカード及びプログラムを異なる店において用いることもできる。
【００１７】
商店（企業）は、システム１０を支払（あるいは識別）を処理できるようにし、その商店の任意のＰＯＳロケーション１８が商品／サービスの予想される受領者により利用され得るものと想定する。一つの実施例では、商店はオンラインに進み、サインアップすることができ、各受領者あるいは予想される受領者は、オンライン（そうでなければサインアップ）に進むことができる。このようにすることによって、受領者たるユーザは、ウェブポータルに入り、支払方法及びロイヤリティカードにサインアップし、自分の既存の支払及びロイヤリティカードを登録することができる。希望すれば、ユーザは新しいカードにいつでもサインアップできる。
【００１８】
顧客及び商店の特定のデータは、全て各データベース１３，１６に安全の確保された形で蓄積される。ユーザがシステムを用い、そのユーザがロイヤリティプログラムに登録されると、その顧客にチャージする前に、適切なディスカウントが自動的に用意される。
【００１９】
カード発行者／商店／銀行に対するシステム１０の利点は、顧客への迅速な電子アクセス、よりよい顧客関係管理であり、より効率的で個人的な通信、顧客の行動とニーズの追跡を含む。また、システムは支払カード及びロイヤリティプログラムを発行後まもなく利用できるようにする。クレジットカード番号を開示するペーパーがないので、従来のクレジットカードチャージシステムと比べて全体のシステムとしての不正は減少する。これはクレジット、デビットあるいはＡＣＨのような支払のための取引手数料の減少をもたらす。これに加えて、ウェブポータルまたは電子メールシステム内における取引／受領のロギングは、小売業者のペーパーや印刷コストを削減する。
【００２０】
最終消費者（受領者）に対し、そのシステムは、利便性、カードの統合、販売地点における費用管理、電子形式のカードの利用、新しいカードに対する容易なサインアップ、デジタルレシート管理、ウェブインタフェース及び報酬プログラムの統合を提供する。システムは、消費者をして、チェッキング、直接の貯金あるいは直接の支払、デビットそして／またはクレジットカードを通じた電子ファンド移送のために主に用いられるアカウントクリアリングハウス（ＡＣＨ）サービスのような、既存の支払方法を用いた支払取引を行うことを可能にする。加えて、システムは、消費者をして、電話（有線または無線）を用いて、全ての自分のカード／アカウントを、ある販売地点において、電子フォームで、支払、ロイヤリティプログラム及び身元識別に用いることができ、また、様々なカード／プログラムの統合をもたらす。
【００２１】
図１において、システム１０は、記述した思想の運営的側面を管理する。ユーザは、例えばポータル／プラットフォーム１０１と通信するために、電話、ＰＤＡなど、任意の通信装置１１を利用する。通信は、有線あるいは無線であり、実施例で示されるのはよく知られたデュアルトーン多重周波数（ＤＴＭＦ）規格に基づく。将来的に、ＤＴＭＦは無線アプリケーションフロトコル（ＷＡＰ）クライアントあるいはＢｌｕｅｔｏｏｔｈ技術あるいはその取引を生じさせるあらゆる技術によって改善されあるいは代替される。まず始めに、インタフェースユニット１２はプラットフォーム１０１をしてＤＴＭＦディジットを探知することを可能にするテレフォニーアプリケーションプログラムインタフェース（ＴＡ−ＰＩ）を用いる。プラットフォーム１０１は、単一のポータルあるいは複合的ポータルのどちらでも可能であり、単一のサーバ上あるいは複合的サーバ上のいずれにおいても可能である。このサーバは管理目的のためのアプリケーションプログラム、蓄積するためのデータベースそして／または１または複数の通信ネットワーク１０３，１０４にアクセスする、任意のプロセッサベースのシステムである。
【００２２】
プラットフォーム１０１は、装置ＩＤ、呼者ＩＤそして／または一意のピン番号といった、消費者を識別する１または複数のタイプのセキュリティレベル、または他のタイプの暗号及び認証方法を用いる。もし、ユーザが無線電話を使っていると、合衆国の規格では一つの電話番号に一つの携帯電話が対応するので、インタフェース（データベース）１３をして、呼び出しているユーザを正確に特定することができる。ユーザが有線の電話で呼び出している場合、呼者のＩＤが呼者を特定するために用いられる。将来的には、バイオメトリックス、音声認識あるいは他の安全の確保された方法が、インタフェース１２及び１３あるいは追加的なセキュリティーモジュールの管理下で用いられる。
【００２３】
特定の企業に一意の、取引及びロイヤリティプログラムプラットフォームを管理する小売業者データベース１７は、例えば、現在使用可能な多数のＡＰＩ（アプリケーションプログラムインタフェース）の一つとともに、ＸＭＬあるいは類似の技術を用い、その結果、そのプラットフォームは、企業により用いられるＰＯＳ装置１８と通信することができるようになる。プラットフォーム１０１は、受領者たるエンドユーザ（商店の顧客）が使用するインタフェース１３、及び、商店がそのアカウントを評価し管理するインタフェース１６を提供する。インタフェース１３及び１６は、ウェブベースであり、望ましくは、ユーザそして／または企業により、より簡単に管理し得る。
【００２４】
プラットフォーム１０１は、暗号化とユーザ証明のためのＰＫＩ（公開かぎインフラストラクチャー）ソフトウェアといったセキュリティ技術を組み込んでいる場合もある。ＰＫＩは、ユーザをして、安全かつ個人的に金銭データを含むデータを、信頼ある当局から得られ、割り当てられた公開そして秘密暗号かぎのペアを用いることによってやりとりすることを可能にする。ＰＫＩはデジタルセキュリティーのための優先的アプローチであるが、いかなる取引プロトコルも利用可能である。
【００２５】
プラットフォーム１０１に入力された取引は、ネットワーク１４またはネットワーク１５を通じてチェッキングＡＣＨ、ＡＴＭ、デビットまたはクレジットカードをフィルタリングし、または、他のクリアリングハウスを通じて、アフィニティグループ、価値貯蔵カードなどをフィルタリングする。取引のタイプによって、支払データは適切な処理実体に送信される。ＡＣＨは、全米金融機関と接続し、全国的な電子ファンド移送（ＥＦＴ）用の中央クリアリングファシリティとして動作する、安全の確保された電子ファンド移送システムである。ＡＴＭ／デビットおよびクレジットカード取引は、適切な銀行、クリアリング当局に送信されて許可され、クリアリングされる。これらは、Ｃｉｒｒｕｓ、ＮＹＣＥ、Ｍａｅｓｔｒｏ、Ｖｉｓａｎｅｔなどの様々なＡＴＭ／デビット及びクレジットネットワークを通じて行われる。そのＰＯＳ端末の近くに立っている顧客は、前述のように、どの形式を望むか、そして、どの第三者支払を望むのかを決定する。プラットフォーム１０１は、共にサーバとして動作するアカウント情報データベース１９とネットワーク１４及び１５と協働して、その商店に、その商店が、いくらかのディスカウントがされるにせよ、商品及びサービスに対する支払を受けたことを確信させるために、その取引を制御する。ユーザは、取引の一部は一つのクレジットカード上、一部は第２（または第３の）クレジットカードまたはデビットカードまたは価値貯蔵アカウント上で行うことに注意すべきである。
【００２６】
プラットフォーム１０１は、商店取引データベース（商店アカウントシステム１６の一部）及び商店ロイヤリティシステム１７と通信する。これは、全ての必要なデータベースとＰＯＳ装置１８との通信を行うＡＰＩ（アプリケーションプログラムインタフェース）を通じて実現される。この設計は、ソフトウェアの統合のみをもたらす。ＰＯＳシステム１８（図示せず）におけるキー（キーボードまたはタッチスクリーンなど）は、返品そして／または識別のような異なる取引用に指定される。
【００２７】
プラットフォーム１０１は、消費者をして、１８のような小売り販売地点ロケーションにおいて、自身のセル（または他の）電話を通じて、自身のチェッキング（ＡＣＨ）／デビット／クレジット／ロイヤリティ／価値貯蓄アカウントにアクセスし、支払をすることを可能とする。そのプロセスにおいて、その消費者は、また、自動的に、例えば、プラットフォーム１７に蓄積され、さもなくばその消費者が位置するロケーションに付随するロイヤリティプログラムにアクセスする。その消費者は、任意の望ましいディスカウントを受ける。これらのディスカウントは、データベース１０２および購入者が属するネットワーク１０３による制御により、商店、商品またはサービスの生産者、プラットフォーム１０１を運用する会社、または、銀行またはクレジット／デビット会社によって、または、メンバーシップ組織により提供される。これらのアフィニティプログラムは、分散データベースに蓄積されることができ、または、通常のデータベースに蓄積されることができ、プラットフォーム１０１にローカルでもよく、またはそこから離れていてもよい。
【００２８】
そのような使用の一例は、ある消費者が店において買い物をする時、１ドルの支払について、その消費者が別のロケーションにおける商品の購入についてクレジットを得るようなロイヤリティシステムである。従って、消費者が例えば２０ドルの価値の雑貨を購入する際には、その消費者は、外にあるガスポンプから購入したガソリン１ガロン当たり２セントのディスカウントを受ける。そのシステムは、そのような雑貨の購入を追跡し、自動的にそのガソリンの購入のディスカウントをもたらす。これは、逆の方向にも働き、その顧客は、雑貨を買う前にガソリンを購入することができ、その顧客が雑貨を求めてＰＯＳに行き、ここで述べたシステムを通じて自身の購入の支払を行うと、その前のガソリンの購入が現在利用可能なディスカウントの元となる。また、ある人は、その人の、（例えばＡＡＲＰまたはＡＡＡ）といった、ある組織のメンバーシップに依存して、多くのロケーションにおけるディスカウントを与えられる。従って、もしある人が例えばあるパーキング施設における１０％のディスカウントを与えられるなら、そのディスカウントはそのシステムの管理の下、その人がそれを要求しなくても適用される。
【００２９】
図２および図３に示す運用において、消費者はその販売地点がプラットフォーム１０１または同様のプラットフォームを用いて動作し得る商店のＰＯＳ端末１８にアプローチする。ライセンス認証の場合、問い合わせをする人は認証対象となる人にアプローチする。店員（または問い合わせをする人）は、消費者の売買を他の取引の場合と同様にＰＯＳにつなぎ、その消費者に「キャッシュ、チャージ、あるいは電話システム」（プロセス３０、図３）のうちどの支払方法にするかを尋ねる（図２、プロセス３０１）。既に電話システムアカウントにサインアップしている消費者は、「電話システム」と答える（プロセス３０２）。この時、店員は、レジスタ上の電話システム支払キーを押し（プロセス３０３）、確認を待つ。その店員は、レジスタ上のキーを押す代わりに、ＰＯＳから図１のポータル１０１に対するコネクションを起動させてもよい。
【００３０】
身元チェックの場合、要求者は、問い合わせ人の管理の下、認証が望まれる情報を入力する。
【００３１】
店員がオーダーを電話（または要求者がデータを入力）すると、消費者はインタフェース１２（図１）の一部である電話システムサーバにダイヤル（またはスピードダイヤル）する（図３のプロセス３０４）。消費者は、次に、望ましくは、キャッシュレジスタ上において、電話システムのロゴとともに表示された一意のＰＯＳ識別番号を入力する（図３のプロセス３０５および図２の要素２１０）。このＰＯＳロケーション番号は、端末上に表示されることができ、ＰＯＳロケーションにおいて貼られたサイン上に表示され、またはＰＯＳテープやレストランの伝票上に印刷され、また、それは警官のバッチ番号であったり、商品の帽子またはシャツ上に印刷された番号、またはパーキングメーターまたはベンディングマシーンの番号といった、ＰＯＳに付随する他の任意の一意の番号である。別の例では、そのロケーション番号は、特定の商店の一意の電話番号に統合することができる。そのような場合、顧客は商店のＰＯＳに接続するためにＰＯＳの一意の電話番号をダイヤルするだけでよい。
【００３２】
消費者は、次に、自身のセル番号を通じて、オリジナルの総額とそのユーザについての任意の適切な報酬／ディスカウントを含む、その商店のシステムからの支払（または認証）要求を聞く（または見る）。これは、プロセス３０６、３０７、３０８、３０９を通じて行われる。消費者は、祝儀といったデータを付け加えることを要求され、または、顧客は様々な支払そして／またはロイヤリティオプションを選択するかもしれない。消費者は、どの支払形式（どの第３の支払人、ビザ、マスターカードなど）をこの取引について希望するのかを選択する。その消費者は、あるアカウントと別のアカウントに分けることを希望する場合もあることに注意すべきである。消費者は、次に、望ましくは、自身のパーソナル識別番号（ＰＩＮ）を入力することによって、または、許可を示すキー（例えば１または＃）を押すことによって、その支払を認証する。そのＰＩＮ番号は、ＤＴＭＦまたは他の信号を用いて送信され、そのＰＩＮ番号はバイオメトリクス（指紋、声紋など）によって生成される。ＰＩＮを入力するか、または、キー入力により取引の許可を行うかは選択的であり、ドル額または商品のタイプによって異なる。承認は、ＰＯＳ端末にダイヤルし、ロケーション番号を入力することによってなされる場合もある。インタフェース１２は、例えば、相互音声応答装置などを用いて、消費者の電話に対する音声またはデータ（または双方）の提供を制御する。
【００３３】
ダイヤルし、ロケーションＩＤを入力するステップは、併合することができる。そのような併合の結果、消費者が支払およびロケーションを示すためにダイヤルする、ＰＯＳ端末上に貼られた一意の電話番号となり得る。従って、消費者の装置上で一意の電話番号をダイヤルすることによって、そのシステムは、その支払が向けられるロケーションを認識でき、プラットフォーム１０１に接続する番号として用いることができる。商店は、どの支払フォームを消費者が選択するかを認識する必要がなく、従って、虚偽的行為または不正行為の機会を減らすことができる。
【００３４】
消費者が支払を認証した後、システムは、ナショナルクラーキングハウス１４へのリンクを用いて、３１０、３１１の支払を行い、店員は、３１２においてＰＯＳシステムを通じて、その支払がなされたことを知らせる映像による通知を受ける。身元が問題となる時は、ユーザの写真が、要求者のシステム、または、おそらくそのユーザの端末上のディスプレイを通じて、要求者に送信される。スポーツイベントまたは劇場の入り口において、チケットのコピーが顧客のスクリーン上に表示される。その取引のレシートが消費者の電子メールアドレスに送信され、または、ＳＭＳメッセージが消費者のセル電話に送信され、顧客データベース１３の管理の下、その取引が認証される。
【００３５】
プロセス３０４と３０５（そして他のプロセスも同様に）を組み合わせることは可能である。これは、例えば、ＰＯＳ端末に一意の電話番号を貼ることによって実現される。消費者はその番号にダイヤルしてそのロケーションから来る支払情報の承認を示す。そして、一意の電話番号をダイヤルすることによって、システムはその支払を送信するロケーションを認識し、電話支払システムに接続し、また、そのユーザ用の全てのプログラムをコーディネートする番号として活用する。
【００３６】
ここで記述される実施例において説明されるように、商取引は、従来のＰＯＳキャッシュレジスタにおいて店員によって開始されるが、本発明の概念はこれに限定されない。例えば、顧客は、（自身の購入品上のバーコードをスキャニングすることなどによって）セルフチェックアウトを行い、また、その顧客は、自己証明のため、または実際に商品を購入するのではなく、資格証明のために、カード（またはライセンス）を用いる。そのような証明は、例えば、その人の物理的な身元を証明したり、またはその人が有効なライセンス（例えば運転免許証、フィッシングまたはハンティングライセンス、パイロットライセンスなど）や有効な保険カード（車輌、医療など）を持っていることを示したり、その人が資格カード（動物園メンバーシップまたはアルコール飲料消費許可など）を持っていることを証明したり、イベント（映画、スポーツイベントなど）に入場する資格を持っていることを示したりすることである。その人は、同じプラットフォームを使用している別の人に、資金、入場証、そして／または商取引または非商取引におけるロイヤリティポイントを送信することを選択する。そのような送信は、ＳＭＳそして／またはＩＶＲを通じて別の人のアカウントに渡され、また、電子メールを用いてウェブサイトに渡される。場合によっては、送信された情報は別の人のモバイル装置（セル電話）に対して送信され得る。
【００３７】
これらの各場合において、商取引の受領者は、一時的に設定されたコネクションを用いて正当な中央コントロールポイントに通信するだけでよく、その一時的なコネクションを通じて、その取引が生じた特定のロケーションの識別子を入力するだけで足りる。そのロケーションにおいて（自身で設定した通信コネクションを用いて）チャージする人（ユーザ、ゲートアテンダント、ウェイター、警官、医師）は、そのコネクションに入った人が生じたいかなる商取引を行うことができることを通知される。チャージするその人への通知は、受領者の通信装置によって行われることができ、おそらくチャージする人またはチャージする人の近くの端末に向けられた、分散された通信によって行われる。
【００３８】
また、商取引という語は、マネー交換の場合に限られず、サービスまたは商品の受領者（または予想される受領者）が含まれるあらゆる状況、または、その目的が物理的な身元であれ特定の目的のための資格であれ、受領者の身元である、全ての状況にあてはまる。従って、ＰＯＳという語は、ここでは、そのような身元識別そして／または資格が認証される任意のロケーションを意味する。
【００３９】
ＰＯＳ端末の身元は、身元の認証を要求する人のバッチ番号であってもよく、または、その人が入場を希望する劇場のゲート番号であってもよく、セル電話番号またはガソリンポンプの識別番号であったり、身元の認証そして／または支払を要求するロケーションまたは人を一意に特定する他の情報（例えば、レシートに印刷された一意の番号またはコード）である。場合によっては、ＧＰＳ制御が作動し、他の場合には、ロケーション、道路の交差点、ハイウェイのマイルポストの緯度／経度で十分である。必要なものは、問い合わせ元とユーザのロケーションとの間の一意の関係であり、システムは、その二つを認証に用いる。これによって、商店（または身元認証を要求する他の人）から来る情報が、認証される人からの分散コネクションを通じて検証される。このシステムの下では、商店は、顧客の支払アカウント番号（クレジットカード番号）にアクセスしないので、そのような番号の安全が確保される。
【００４０】
明細書およびクレームにおいて用いるように、ＰＯＳ装置はファイナンシャル取引が生じたことを確認できればよい。それは、Ｖｅｒｉｆｏｎｅ（登録商標）またはＨｙｐｅｒｃｏｍ（登録商標）製のクレジットカード端末、または、ＩＢＭ、ＮＣＲ製などの標準小売りＰＯＳであり、または、ＰＣ、ベンディングマシーンまたはＫｉｏｓｋ、または携帯ＰＤＡ、セル電話または電子プリンタ、またはデータを受信可能な他の任意の装置であり得る。ＰＯＳは、無線ハンドヘルド、または有線ＰＣなどの他の装置によってアクセスし得る仮想的データベースでもよい。ＰＯＳ装置は、取引の確認を受信可能であるが、購入データの送信または入力を要しない。
【００４１】
ＰＯＳロケーションは、人物、レシート上の取引番号、装置、ウェブアカウント、あるいはある実体に割り当てられた一意の識別子を有する仮想スペースである。ＰＯＳロケーションは、そのＰＯＳに付随する一意の識別子を有する。
【００４２】
商店は、店、カフェにおけるサービスの提供に対して支払をし、または支払を受ける当事者であり、あるいは、パーキィングメータやベンディングマシーンであり、または、提案されるサービスまたは商品の正当な提供者の場合もある。
【００４３】
図４は、どのようにしてある人（寄贈者）がＰＯＳにおけるモバイルギフトを用意することによってモバイルアカウントに別の人（受領者）を登録できるかを示している。プロセス４０１において、寄贈者は商店に受領者のセル電話番号と、ギフトの量を伝える。これは、口頭または電子的、そして人づてまたは通信リンクにより実現される。実施例では、ＰＯＳギフト登録について述べるが、同様の手法が、商店またはここで述べられるシステムのオペレータのウェブサイトに寄贈者をログオンさせる場合にも用いられる。ＰＯＳ端末が用いられると、その商店はＰＯＳ端末中に受信情報を入力する。メリークリスマス、ハッピーバースデイなどの特別の挨拶もまた追加できる。この情報は、ポータル（ｐｏｒｔａｌ）１０１（図１）に通信されて処理される。
【００４４】
プロセス４０２を通じて、ポータル１０１はその受領者が既にシステムに登録されているか、またはその寄贈者について新たなアカウントを設定する必要があるかをチェックする。受領者がシステム内にいなければ、プロセス４０３において、その受領者用の新たなファイルを生成し、プロセス４０４において適切なデータベース中にその受領者に関する情報を入力する。その受領者が既存メンバーなら、プロセス４０４において、その情報は１または複数のそのデータベース中に入力される。その受領者が既にアカウントを持っているなら、寄贈者はＰＯＳにおいていくつかの識別子を提供するだけでよく、ポータル１０１によって提供され得ることから、セル電話番号を実際に知っている必要はない。
【００４５】
プロセス４０５において、ポータル１０１は寄贈者のセル電話（または利用可能なら電子メール）を通じて寄贈者に通信する。ハッピーバースデイなどの任意の特別な挨拶が、その寄贈者に送信される。この時、寄贈者は、未だ知らないときは自分のＰＩＮ番号を受信する。
【００４６】
プロセス４０６において、そのギフトが送信されたことを示す、寄贈者に対するの承認／確認を制御する。この承認は、例えば、テキストメッセージ、または寄贈者が印刷し受領者に送信し得るギフトカードの形式を採ることができる。
【００４７】
プロセス４０７において、寄贈者によるギフトカードの支払いを制御する。その支払が現金、クレジット、デビットまたは価値貯蔵カードのような従来の方法による場合は、プロセス４０８はよく知られた方法で支払を制御する。寄贈者がポータル１０１を用いることを望むなら、図３に示すプロセス３０が実行される。
【００４８】
図５は、商店ロケーションにおける顧客登録を示す一つの実施例５０を示す。プロセス５０１において、システムへの登録を望む顧客は、消費者ロケーションにおける任意のＰＯＳ端末に向かい、自分のセル電話番号と、クレジットカード、デビットカード、価値貯蔵カード、そして任意のロイヤリティまたは他のアフィニティグループといった支払方法を入力する。
【００４９】
プロセス５０２において、この情報は商店のＰＯＳからのコネクションを通じてポータル１０１（図１）のような中央システムに送信される。このコネクションは専用のコネクションまたは一時的なコネクションでもよく、無線または有線でもよく、電話網を通じてもデータネットワークを通じてもよい。
【００５０】
プロセス５０３で、ポータル１０１において、これが本当に新たな顧客かをチェックする。このチェックは、セル電話情報またはクレジット／デビットカード情報といった他の情報を照合することによって行われる。その情報が既存のアカウントと照合すれば、そのセッションは終了する。
【００５１】
プロセス５０４において、その情報が新たな顧客についてのものであれば、プロセス５０５において、新たなアカウントを設定する。
【００５２】
プロセス５０６において、ＰＩＮ番号と例えばシステムオペレーション情報などの他の情報を、そのＰＯＳ端末を通じてその新たな顧客に提供する。同時に、または間を置いて、この同じ情報が、新たな顧客により提供された新たな顧客のセル電話そして／または電子メールアドレスに送信される。新たな顧客は、また、ポータル１０１にアクセスし、希望するなら自身のオンラインのアカウントを見る。セル電話へのメッセージは口頭そして／またはテキストでもよく、また、ＳＭＳなどを通じて送信され得る。
【００５３】
図６は、顧客が商店から商品またはサービスを得たいと希望し、または商店（警察官、チケット受取人など）に識別子を提供したいと希望する図２のシナリオの別の実施例であるシステム６０を示す。
【００５４】
プロセス６０１において、顧客は、ダイヤルすることによって、または顧客の電話またはＰＣ、ＰＤＡなどの他の電子装置から一時的なコネクションを設定することによって、ポータル１０１を通じてシステム１０に接続する。このコネクションは、ＷＩＦＩ、ＧＰＲＳ、有線などである。この情報はキーボードまたは音声で入力され得る。
【００５５】
プロセス６０２において、顧客はパーキングメーター番号、ベンディングマシーン番号、カタログ番号、バッジ番号、ＧＰＳロケーション、交差点などの、一意のロケーションＩＤを入力する。場合によっては、その商品またはサービスの提供者を特定することで足り、または場合によっては、それ以上の情報が必要とされる。ポータル１０１は提供されるそのような付加的な情報を要求することができる。この情報は、例えば、ユーザの声紋（指紋など）または商店の声紋（指紋など）のようなバイオメトリックでもよい。
【００５６】
プロセス６０３において、ポータル１０１は、自身のデータベースから、または商店のデータベースと協働して、顧客に選択の機会を与える。パーキングメーターの場合は、タイムチャージが表れる。その顧客が商店にカタログを要求すると、写真付きのページ情報が提供される。その顧客がスポーツイベントに行こうとするなら、または自身の身元を警官に提供しようとするなら、自身のスポーツチケット（または運転免許証）が顧客のセル電話上に表示される。
【００５７】
システムが身元またはある組織（動物園、博物館など）のメンバーシップを示すのに用いられる場合は、プロセス６０４によって決定されるように、さらなるアクションは要しない。
【００５８】
プロセス６０５において、顧客は選択を行い、プロセス６０６において、その総額が顧客に送信され、プロセス６０７において、その顧客は、（図３に関して上述されたように）必要な調整を行って、許可入力を行う。プロセス６０８において、その顧客の取引は完了する。
【００５９】
本発明とその利点を詳細に述べてきたが、付随するクレームによって定義される発明の思想と範囲を逸脱することなく様々な変形、代用、改変がなされる。さらに、本出願の範囲は、明細書に記述されたプロセス、機械、製品、構成、手段、方法そしてステップの特定の実施例に限定するものではない。当業者が本発明の開示からすぐに恩恵を受けるように、ここで述べられる対応する具体例と実質上同じ機能を営み、実質上同じ結果をもたらす、現在存在しており、後に発展することとなるプロセス、機械、製品、構成物、手段、方法、ステップが用いられる。従って、付随するクレームは、その範囲内でそのようなプロセス、機械、製品、構成、手段、方法、ステップを包含する。
【００６０】
本発明をより完全に理解するために、添付図面に関する以下の記述が参照される。
【図面の簡単な説明】
【００６１】
【図１】支払／報酬機構の一つの実施例の概観である。
【図２】図１に従ったシナリオを示す実施例を示す。
【図３】図２のシナリオの一つの実施例を示すフローチャートである。
【図４】人にモバイルギフト（ｍｏｂｉｌｅ  ｇｉｆｔ）を送信することによって、その人をモバイルアカウントに登録する一例を示すフローチャートである。
【図５】商店のロケーションからモバイルアカウント（ｍｏｂｉｌｅ  ａｃｃｏｕｎｔ）に人を登録する一例を示すフローチャートである。
【図６】図２のシナリオの他の実施例を示す。
【図１】
2006504208.tif 000003
【図２】
2006504208.tif 000004
【図３】
2006504208.tif 000005
【図４】
2006504208.tif 000006
【図５】
2006504208.tif 000007
【図６】
2006504208.tif 000008
【手続補正書】
【提出日】平成17年4月25日(2005.4.25)
【手続補正１】
【補正対象書類名】特許請求の範囲
【補正対象項目名】全文
【補正方法】変更
【補正の内容】
【特許請求の範囲】
【請求項１】
取引をコーディネートする方法であって、
前記取引に付随する販売地点（ＰＯＳ）において、前記取引に関連する情報を入力し、前記情報は、前記取引の受領者の身元と独立であり、
前記受領者に一意に付随する装置から前記販売地点（ＰＯＳ）から離れたロケーションへの一時的な通信コネクションを設定し、
前記装置および設定された通信コネクションを通じて、前記販売地点（ＰＯＳ）ロケーションを特定し、
前記特定された販売地点（ＰＯＳ）ロケーションを前記入力された情報とコーディネートする
ことを特徴とする方法。
【請求項２】
請求項１に記載の方法において、さらに、
前記離れたロケーションの管理の下、前記コーディネートされた情報の受領者による許可を認証する
ことを特徴とする方法。
【請求項３】
請求項１に記載の方法において、
前記ＰＯＳは企業に付随し、
前記離れたロケーションの少なくとも部分的な管理の下、前記ＰＯＳに付随する前記企業に対する第３者による支払、前記入力された情報によって特定される前記支払の額を許可する
ことを特徴とする方法。
【請求項４】
請求項１に記載の方法において、さらに、
前記一時的に設定された通信パスから区別された通信パスを通じて前記離れたロケーションに前記入力された情報を通信する
ことを特徴とする方法。
【請求項５】
請求項１に記載の方法において、さらに、
任意の前記コーディネーションを前記受領者と前記ＰＯＳに関連する他の任意のプログラムと関連付ける
ことを特徴とする方法。
【請求項６】
ユーザの識別を容易にするシステムであって、
情報を入力そして／または受信する販売地点（ＰＯＳ）端末を備え、前記情報は前記ユーザの任意のパーソナル情報と区別され、
前記販売地点（ＰＯＳ）端末から離れたデータベースと、
前記ユーザと前記データベースとの間の通信コネクションを設定する手段とを備え、前記通信コネクションは前記販売地点（ＰＯＳ）情報が入力される通信コネクションと区別され、
前記販売地点（ＰＯＳ）端末の身元を前記設定された通信コネクションを通じて前記データベースに通信し、前記データベースをして前記ユーザを前記販売地点（ＰＯＳ）において入力された情報とコーディネートさせる手段を備える
ことを特徴とするシステム。
【請求項７】
請求項６に記載のシステムにおいて、
前記システムは、さらに、前記ユーザの身元を前記ＰＯＳに通信する手段を備える
ことを特徴とするシステム。
【請求項８】
請求項６に記載のシステムにおいて、
前記システムは、さらに、
前記ＰＯＳにおいて入力された情報に従って、前記ＰＯＳに対する支払のために、前記ユーザの身元を第三者に通信する手段を備える
ことを特徴とするシステム。
【請求項９】
請求項８に記載のシステムにおいて、
前記ＰＯＳにおいて入力された情報は、前記ＰＯＳから離れたロケ−ションに通信される
ことを特徴とするシステム。
【請求項１０】
請求項８に記載のシステムにおいて、
前記ユーザを前記ユーザと前記ＰＯＳ端末双方に関連する少なくとも一つのグループにコーディネートする手段を備える
ことを特徴とするシステム。
【国際調査報告】
2006504208.tif 000009